(57)【要約】      （修正有）【課題】塵埃を散乱させることなく、また塵埃や虫の侵入も防止する効率的なエアーカーテンを提供する。【解決手段】互いに対向する面にそれぞれ吹出し口２Ｂ及び吸込み口３Ｂを設けた吹出しダクト２及び吸込みダクト３と、各々の上端開口の間を連結する中間ダクト４Ａと、中間ダクトの流路上に一端が連結されかつ屋外に延びて他端に外気取込み口７Ａを具備する外気取込みダクト７と、外気取込みダクトの連結点と吹出しダクトとの間に設けた空調機６と、吸込みダクト３の流路内に設けた粘着体３Ｃとを備え、空調機６により、取り入れた外気の温度を調節した後に前記吹出しダクト２へ送出し、吹出し口から吸込み口へ向かうエアーがエアーカーテンを形成するとともに、エアーが吸込みダクトから中間ダクトを通り吹出しダクトへと循環する。【選択図】図３
0003141914.tif 000002
【実用新案登録請求の範囲】
【請求項１】
上端が開口し下端が閉鎖された一対のダクトであって互いに所定の間隔を空けて鉛直方向にそれぞれ延在しかつ互いに対向する面にそれぞれ吹出し口(2B)及び吸込み口(3B)を設けた吹出しダクト(2)及び吸込みダクト(3)と、
前記吹出しダクト及び前記吸込みダクトの各々の上端開口の間を連結する中間ダクト(4)と、
前記中間ダクトの流路上に設けた送風ファン(5)と、
前記吸込みダクト(3)の流路内に設けた粘着体(3C)と、を備え、
前記送風ファン(5)を駆動することにより、前記吹出し口から前記吸込み口へ向かうエアーがエアーカーテンを形成するとともに、エアーが前記吸込みダクト、前記中間ダクト及び前記吹出しダクトの流路を循環することを特徴とするエアーカーテン装置。
【請求項２】
上端が開口し下端が閉鎖された一対のダクトであって互いに所定の間隔を空けて鉛直方向にそれぞれ延在しかつ互いに対向する面にそれぞれ吹出し口(2B)及び吸込み口(3B)を設けた吹出しダクト(2)及び吸込みダクト(3)と、
前記吹出しダクト及び前記吸込みダクトの各々の上端開口の間を連結する中間ダクト(4A、4B、4C)と、
前記中間ダクトの流路上に一端が連結されかつ屋外に延びて他端に外気取込み口(7A)を具備する外気取込みダクト(7)と、
前記中間ダクトの流路上であって前記外気取込みダクトの連結点と前記吹出しダクトとの間に設けた空調機(6)と、
前記吸込みダクト(3)の流路内に設けた粘着体(3C)と、を備え、
前記空調機(6)を駆動することにより、前記外気取込みダクト(7)から取り入れたエアーの温度を前記空調機にて調節した後に前記吹出しダクト(2)へ送出し、前記吹出し口から前記吸込み口へ向かうエアーがエアーカーテンを形成するとともに、エアーが前記吸込みダクトから前記中間ダクトを通り前記吹出しダクトへと循環することを特徴とするエアーカーテン装置。
【請求項３】
前記外気取込みダクト(7)の流路上に設けられ制御により開閉する電動ダンパー(9A)をさらに備えたことを特徴とする請求項２に記載のエアーカーテン装置。
【請求項４】
前記外気取込み口(7A)を防虫網(8)で覆ったことを特徴とする請求項２又は３に記載のエアーカーテン装置。
【考案の詳細な説明】
【技術分野】
【０００１】
本考案は、省エネルギーに配慮したエアーカーテン装置に関する。
【背景技術】
【０００２】
従来、部屋の出入口や冷蔵庫・冷凍庫の開閉扉などにエアーカーテンが設けられることがある。これは、カーテンのような平面状のエア流を形成することにより、出入口等の開放時に開口部の内側と外側との間の空気の流れを遮蔽するものである。これにより、例えば、開口部内側が一定の温度に維持されている場合にその温度変化を防止する。また、開口部内側へ塵埃や虫などの異物が侵入することも防止できる。
【０００３】
特許文献１は、エアーカーテンを形成する装置の従来例である。送風羽根を備えたモーターを開口の上縁部に設置し、上方から下方へ送風する構成である。
【特許文献１】特開平５−１０６８９８号公報
【考案の開示】
【考案が解決しようとする課題】
【０００４】
しかしながら、上方から下方へ吹き下ろす構成の場合、吹き下ろされたエアーは周囲に分散してしまうため、エアーを常にどこかから取り入れなければならない。例えば、外気を取り入れる場合には、外気温がそのままエアーカーテンの温度となるので、エアーカーテンを形成するエアーが分散すると、その熱が開口部内側に与えられたり、開口部内側の熱が奪われたりして温度変化を生じ易い。
特に、開口部内側が負圧の状況下では、外部から空気が侵入し易いために、さらに温度変化を生じ易い。
これらの原因によって開口部内側の温度が変化すると、開口部内側を再び所定の温度にするために余分なエネルギーを消費することになり、効率的ではない。
また、上方から下方にエアーが吹き下ろす構成では、床面の塵埃をまき散らすことになり、この点でも好ましくない。
さらに、外気を取り入れる場合、塵埃や虫が侵入する虞がある。
【０００５】
以上の問題点に鑑み、本考案は、一定の温度に維持された開口部内側との間に熱の出入りを生じない効率的なエアーカーテンを形成する装置であって、塵埃を散乱させることなく、また塵埃や虫の侵入も防止するエアーカーテン装置を提供することを目的とする。
【課題を解決するための手段】
【０００６】
上記の目的を達成する本考案の構成は、次の通りである。なお、括弧内の数字は、後述する図面中の符号であり、参考のために付する。
本考案の第１の形態におけるエアーカーテン装置は、上端が開口し下端が閉鎖された一対のダクトであって互いに所定の間隔を空けて鉛直方向にそれぞれ延在しかつ互いに対向する面にそれぞれ吹出し口(2B)及び吸込み口(3B)を設けた吹出しダクト(2)及び吸込みダクト(3)と、
前記吹出しダクト及び前記吸込みダクトの各々の上端開口の間を連結する中間ダクト(4)と、
前記中間ダクトの流路上に設けた送風ファン(5)と、
前記吸込みダクト(3B)の流路内に設けた粘着体(3C)と、を備え、
前記送風ファン(5)を駆動することにより、前記吹出し口から前記吸込み口へ向かうエアーがエアーカーテンを形成するとともに、エアーが前記吸込みダクト、前記中間ダクト及び前記吹出しダクトの流路を循環することを特徴とする。
【０００７】
本考案の第２の形態におけるエアーカーテン装置は、上端が開口し下端が閉鎖された一対のダクトであって互いに所定の間隔を空けて鉛直方向にそれぞれ延在しかつ互いに対向する面にそれぞれ吹出し口(2B)及び吸込み口(3B)を設けた吹出しダクト(2)及び吸込みダクト(3)と、
前記吹出しダクト及び前記吸込みダクトの各々の上端開口の間を連結する中間ダクト(4A、4B、4C)と、
前記中間ダクトの流路上に一端が連結されかつ他端に外気取込み口(7A)を具備する外気取込みダクト(7)と、
前記中間ダクトの流路上であって前記外気取込みダクトの連結点と前記吹出しダクトとの間に設けた空調機(6)と、
前記吸込みダクト(3B)の流路内に設けた粘着体(3C)と、を備え、
前記空調機(6)を駆動することにより、前記外気取込みダクト(7)から取り入れたエアーの温度を前記空調機にて調節した後に前記吹出しダクト(2)へ送出し、前記吹出し口から前記吸込み口へ向かうエアーがエアーカーテンを形成するとともに、エアーが前記吸込みダクトから前記中間ダクトを通り前記吹出しダクトへと循環することを特徴とする。
【０００８】
上記第２の形態においては、前記外気取込みダクト(7)の流路上に設けられ制御により開閉する電動ダンパー(9A)をさらに備えたことが好適である。
【０００９】
上記第２の形態においては、さらに前記外気取込み口(7A)を防虫網(8)で覆うことが好適である。
【考案の効果】
【００１０】
本考案の第１の形態によれば、エアーカーテン装置が一対のダクトと、それらの上端開口を連結する中間ダクトとを備え、一対のダクトの対向する面にそれぞれ吹出し口と吸込み口を設けかつ中間ダクトの流路上に送風ファンを設けたので、吹出し口を設けた吹出しダクトから吸込み口を設けた吸込みダクトへとエアーが流れる。これにより、水平方向にエアーが流れるエアーカーテンが形成される。よって、床面の塵埃をまき散らすことが低減される。
また、吸込み口から吸い込まれたエアーは、吸込みダクトから中間ダクトを通り吹出しダクトへと循環するので、外気を取り入れずとも常にエアーカーテンを形成できる。開口部の近傍で循環するエアーは温度変化を生じにくいため、開口部内側の温度に影響を及ぼしにくい。よって、開口部内側の温度を一定に維持しやすく、エネルギー効率が向上する。
さらに、吸込みダクトの流路内に軸方向に粘着体を設けているので、吸い込まれたエアー中の塵埃や虫を付着させ除去することができ、これらが開口部内側に侵入することを防止できる。
【００１１】
本考案の第２の形態によれば、エアーカーテン装置が一対のダクトと、それらの上端開口を連結する中間ダクトと、中間ダクトの流路上に一端が連結されかつ屋外に延びて他端に外気取込み口を具備する外気取込みダクトとを備え、一対のダクトの対向する面にそれぞれ吹出し口と吸込み口を設けかつ外気取込みダクトの連結点と吹出しダクトとの間に空調機を設けたので、外気を取り込み、空調機で温度調節した上で、吹出しダクトへ送出することができる。特に、開口部内側が負圧状態でエアーが侵入しやすい場合に有効である。開口部内側の温度に影響を及ぼさない温度に調節されたエアーであれば、仮に侵入しても開口部内側の温度変化を極力抑えることができる。
また、一対のダクトの対向する面にそれぞれ吹出し口と吸込み口を設けかつ中間ダクトの流路上に空調機を設けたので、上記第１の形態と同様に、吹出し口を設けた吹出しダクトから吸込み口を設けた吸込みダクトへとエアーが流れる。これにより、水平方向にエアーが流れるエアーカーテンが形成される。よって、床面の塵埃をまき散らすことが低減される。
【００１２】
第２の形態の好適例では、外気取込みダクトの流路上に設けられ制御により開閉する電動ダンパーをさらに備えている。これにより、必要に応じて外気の取込み及び停止を切り替えることができる。エアーの温度調節が不要の場合は、電動ダンパーを閉じて外気取込みダクトからのエアーの取込みを停止する。この場合、エアーが吸込みダクト、中間ダクト及び吹出しダクトの流路だけを循環することになる。
【００１３】
第２の形態の好適例では、外気取込み口を防虫網で覆う。これにより、外部からの虫の侵入を防止できる。
【考案を実施するための最良の形態】
【００１４】
以下、実施例を示した図面を参照して本考案の実施形態を説明する。
本考案のエアーカーテン装置は、一定温度に維持された部屋又は冷蔵庫などの出入口や開閉扉の室内側に設置されるものである。
図１は、本考案によるエアーカーテン装置の第１の実施形態の一実施例を示す一部切り欠き正面図である。図２は、(ａ)が図１のＡ矢視図、(ｂ)が図１のＢ矢視図、(ｃ)が図１のＣ断面図である。
図１は、部屋に設置した例であり、出入口には自動又は手動のドア１１が設けられ、エアーカーテン装置１は、ドア１１の室内側の床面上に立設されている。図１には、エアーカーテン装置１の周囲だけを部分的に示しており、ドア１１の周囲の正面壁１２、部屋の一方の側面壁１３、天井１４及び床面１５が示されている。
【００１５】
エアーカーテン装置１は、互いに所定の間隔を空けて鉛直方向にそれぞれ延在する一対のダクト２、３と、その上端を連結する中間ダクト４とにより門形に形成されている。各ダクトは管状であり、内部空洞がエアーの流路となる（以下、同じ）。一対のダクト２、３の各々の下端は閉鎖され、上端は中間ダクト４と連通するように開口している。左右の一対のダクト２、３の間にエアーカーテンが形成される。エアーカーテンのエアーの流れは、実線の白抜き矢印で示すように水平方向である。エアーカーテンの有効面積が、ドア１１の全面よりも広い範囲を覆うように、一対のダクト２、３の間隔はドア１１の幅より広くし、高さはドア１１の高さより高くすることが好ましい。
【００１６】
一対のダクト２、３は、互いに対向する面にそれぞれ吹出し口２Ｂ及び吸込み口３Ｂを設けている。吹出し口を設けた方が吹出しダクト２となり、吸込み口を設けた方が吸込みダクト３となる。吹出し口２Ｂ及び吸込み口３Ｂは、それぞれ鉛直方向に延在しており、各々の上端はドア１１の上縁よりも高い位置とする。ここで、図２(ａ)(ｂ)に示すように、吹出し口２Ｂには、所定の厚さをもつ整流用多孔パネルが嵌め込まれている。整流用多孔パネルは例えばハニカム形状であり、吹出しダクト２の流路２Ａを鉛直方向に降下してきたエアが、吹出し口２Ｂから水平方向に送出されるように整流する役割を果たしている。一方、吸込み口３Ｂについては、特に整流作用は必要なく、エアーカーテンを形成したエアーを円滑に吸い込むことができればよいが、吹出し口２Ｂと同様の整流用多孔パネルを嵌め込んでもよい。
【００１７】
中間ダクト４の管壁を一部を切り欠いて示すように、中間ダクト４の流路上には、送風ファン５が設けられている。送風ファン５は、軸流発生ファンが好ましく、破線の白抜き矢印で示す方向にエアーを送流させる。
【００１８】
また、吸込みダクト３の管壁の一部を切り欠いて示すように、流路３Ａ内には軸方向に延在するように粘着体３Ｃが設けられている。図２(ｃ)に示すように、粘着体３Ｃは、例えば、適宜の支持板３Ｃ１の表面に粘着シート３Ｃ２を貼付したものでもよい。この粘着シート３Ｃ２には、吸込み口３Ｂから吸い込まれたエアーに含まれる異物（塵埃や虫など）が付着する。異物を十分に付着した粘着シート３Ｃ２は、適宜交換する。
【００１９】
送風ファン５を駆動することにより、吹出し口２Ｂから吸込み口３Ｂへ向かうエアーがエアーカーテンを形成する。そして、エアーカーテンを形成したエアーは吸込みダクト３、中間ダクト４及び吹出しダクト２の流路を循環し、再びエアーカーテンを形成する。本考案におけるエアーカーテンは、床面と平行に水平方向に一様に流れるエアーで形成されるので、乱流が発生しにくく、また床面に当たることもないので床上の塵埃などを分散させることもない（以下の実施形態でも同様）。
【００２０】
図３は、本考案によるエアーカーテン装置の第２の実施形態の一実施例を示す一部切り欠き正面図である。図４は、図３のＤ断面図である。
図３は、第１の実施形態と同じく部屋に設置した例であり、同じ構成要素については同じ符号で示している。出入口には自動又は手動のドア１１が設けられ、エアーカーテン装置１０は、ドア１１の室内側の床面上に立設されている。図３には、エアーカーテン装置１の周囲だけを部分的に示しており、ドア１１の周囲の正面壁１２、部屋の一方の側面壁１３、天井１４及び床面１５が示されている。なお、側面壁１３の外側は屋外となっている。
【００２１】
エアーカーテン装置１０は、互いに所定の間隔を空けて鉛直方向にそれぞれ延在する一対のダクト２、３と、その上端を連結する中間ダクト４Ａ、４Ｂ、４Ｃと、中間ダクトの流路上に一端が連結されかつ屋外に延びて他端が外気取込み口７Ａとなっている外気取込みダクト７とから形成されている。図示の例では、一対のダクト２、３の上端は、天井１４よりも上に突出しており、中間ダクト４Ａ〜４Ｃ及び外気取込ダクト７は、天井１４より上方に位置する。
【００２２】
一対のダクト２、３の各々の下端は閉鎖され、上端は開口している。左右の一対のダクト２、３の間にエアーカーテンが形成される。エアーカーテンのエアーの流れは、実線の白抜き矢印で示すように水平方向である。エアーカーテンの有効面積が、ドア１１の全面よりも広い範囲を覆うように、一対のダクト２、３の間隔はドア１１の幅より広くすることが好ましい。
【００２３】
一対のダクト２、３は、互いに対向する面にそれぞれ吹出し口２Ｂ及び吸込み口３Ｂを設けている。吹出し口を設けた方が吹出しダクト２となり、吸込み口を設けた方が吸込みダクト３となる。吹出し口２Ｂ及び吸込み口３Ｂは、それぞれ鉛直方向に延在しており、各々の上端はドア１１の上縁よりも高い位置とする。吹出し口２Ｂには、上述の図２(ｂ)と同様に、所定の厚さをもつ整流用多孔パネルが嵌め込まれている。
【００２４】
図４に示すように、中間ダクト４Ａ、４Ｂ、４Ｃは、水平面上でコ字状に連結されている。吸込みダクト３の上端開口は、中間ダクト４Ａの上流側端部に連結されている。中間ダクト４Ａの下流側端部は中間ダクト４Ｂの上流側端部に連結され、図示の例では、中間ダクト４Ａと４Ｂの連結点が、外気取込みダクト７との連結点でもある。中間ダクト４Ｂの下流側端部は、中間ダクト４Ｃの上流側端部に連結されている。中間ダクト４Ｃの下流側端部は、吹出しダクト２の上端開口に連結されている。図４においても、エアーの流れる方向を、白抜き矢印で示している。
【００２５】
中間ダクト４Ｂの流路上には、空調機６が設けられている。空調機６は、外気取込みダクト７側が背面であり、中間ダクト４Ｃ側すなわち吹出しダクト２側が正面である。背面から取り込んだエアーを所定の温度に調節して、正面から送出する。空調機６の駆動及び停止並びに温度設定は、遠隔制御できることが好ましい。空調機６は、温度調節したエアーを送出することもできるし、単なるファンのように送風だけ行うこともできる。
【００２６】
さらに、図３及び図４に示すように、外気取込みダクト７の流路上には、電動ダンパ９Ａが設けられている。中間ダクト４Ａの流路上には電動ダンパ９Ｂが設けられている。これらの電動ダンパ９Ａ、９Ｂは、それぞれ遠隔制御され、各流路の断面積を変更することで、エアーの流量を調整する。流路を遮断することもできる。
【００２７】
また、上述の実施形態と同様に、吸込みダクト３の流路３Ａ内には軸方向に延在するように粘着体３Ｃが設けられている。
【００２８】
室内が負圧状態のときは、室外のエアーが室内に侵入しやすい。そのような場合（例えば、適宜のセンサで検知する）は、空調機６を駆動することにより、外気取込み口７Ａから外気を取込み、所定の温度に調節して吹出しダクト２へ送出する。このとき、外気を取り込めるように電動ダンパ９Ａは開いている。これにより、吹出し口２Ｂから吸込み口３Ｂへ向かうエアーがエアーカーテンを形成する。このエアーカーテンは温度調節されているから、室内へのエアー侵入による室内温度の変化を抑制することができる。温度調節は、加温の場合も、冷却の場合もある。
【００２９】
そして、エアーカーテンを形成したエアーは吸込みダクト３、中間ダクト４Ａ〜４Ｃ及び吹出しダクト２の流路を循環し、再びエアーカーテンを形成する。この場合、外気の取込みも同時に行われている。
【００３０】
一方、室内温度が安定し適温である場合は、外気取込みダクト７の電動ダンパー９Ａを閉鎖して外気の取込みを停止し、空調機６は送風のみを行う。これは、上述の第１の実施形態と同じ運転状態である。
【００３１】
なお、外気取込みダクト７の外気取込み口７Ａは、虫の侵入を防止するために防虫網８で覆うことが好ましい。
【図面の簡単な説明】
【００３２】
【図１】本考案によるエアーカーテン装置の第１の実施形態の一実施例を示す一部切り欠き正面図である。
【図２】(ａ)が図１のＡ矢視図、(ｂ)が図１のＢ矢視図、(ｃ)が図１のＣ断面図である。
【図３】本考案によるエアーカーテン装置の第２の実施形態の一実施例を示す一部切り欠き正面図である。
【図４】図３のＤ断面図である。
【符号の説明】
【００３３】
１  エアーカーテン装置
２  吹出しダクト
２Ａ  吹出しダクト流路
２Ｂ  吹出し口
３  吸込みダクト
３Ａ  吸込みダクト流路
３Ｂ  吸込み口
３Ｃ  粘着体
４  中間ダクト
５  送風ファン
６  空調機
７  外気取込みダクト
７Ａ  外気取込み口
８  防虫網
９Ａ、９Ｂ  電動ダンパー
１１  ドア
１２  正面壁
１３  側面壁
１４  天井
１５  床面
【図１】
0003141914.tif 000003
【図２】
0003141914.tif 000004
【図３】
0003141914.tif 000005
【図４】
0003141914.tif 000006